(57)【要約】      （修正有）【課題】バインダーの組合せ式固定構造を提供する。【解決手段】本組合せ式固定構造は、受けプレート１と係合具２を含む。受けプレート１の両側にはそれぞれ係合溝１１が形成される。係合具２は、受けプレート１に応じるように連結片と、複数の湾曲鉤２２と、複数の鉤片とを備える。その連結片は、複数の湾曲鉤２２と連結され、複数の湾曲鉤２２の片方と所定の角度を成すと共に、複数の鉤片は、複数の湾曲鉤２２の他方とその所定の角度をそれぞれ成している。複数の鉤片は、バインダー３の上に配列された複数の通し孔３４に通じるように穿設されることにより、複数の湾曲鉤２２のうちのいずれもそれぞれ複数の通し孔３４に挿設される。その後、連結片と複数の鉤片をそれぞれ対応する係合溝１１に係合する場合には、バインダー３を少なくとも１つの係合具２の上に位置決めできる。【選択図】図５
0003161004.tif 000002
【実用新案登録請求の範囲】
【請求項１】
両側にそれぞれ係合溝が形成される受けプレートと、
前記受けプレートに応じるように連結片と、複数の湾曲鉤と、複数の鉤片とを備える少なくとも１つの係合具と、
を含むバインダーの組合せ式固定構造であって、
前記連結片は、前記複数の湾曲鉤と連結され、前記複数の湾曲鉤の片方と所定の角度を成すと共に、前記複数の鉤片は、前記複数の湾曲鉤の他方と前記所定の角度をそれぞれ成して、隣接する前記複数の湾曲鉤は、互いに所定の間隔を離間し、
前記複数の鉤片は、バインダーの上に配列された複数の通し孔に通じるように穿設されることにより、前記複数の湾曲鉤のうちのいずれもそれぞれ前記複数の通し孔に挿設して、前記連結片と、前記複数の鉤片とをそれぞれ対応する係合溝に係合する場合に、前記バインダーを前記少なくとも１つの係合具の上に位置決めし、
また、前記少なくとも１つの係合具は、第１の係合具と、第２の係合具とを含む場合に、前記第１の係合具が備える湾曲鉤の数量が、前記第２の係合具が備える湾曲鉤の数量と異なることを特徴とする、バインダーの組合せ式固定構造。
【請求項２】
前記連結片は、凸部を備え、前記係合具が前記受けプレートの上に位置決めされるように、前記凸部により前記係合溝に係入することを特徴とする、請求項１に記載のバインダーの組合せ式固定構造。
【請求項３】
前記バインダーは、表紙と、裏表紙と、複数のルーズリーフとを備え、
前記複数のルーズリーフは前記表紙と前記裏表紙との間に位置し、
前記複数の通し孔は、前記表紙、前記裏表紙および前記複数のルーズリーフのうちのいずれもの片側に配列され、前記複数の通し孔は、前記複数の湾曲鉤にそれぞれ対応し、かつ前記バインダーが複数である場合に、各前記表紙、各前記裏表紙および各前記複数のルーズリーフのうちのいずれかの寸法が異なり、かつ隣接する前記複数の湾曲鉤が互いに離間した前記所定の間隔の寸法範囲は、５ミリメータから８．９ミリメータまで、８．９ミリメータから９．８ミリメータまで、９．８ミリメータから１０００ミリメータまでのいずれかに設定されることを特徴とする、請求項１又は請求項２に記載のバインダーの組合せ式固定構造。
【請求項４】
各ガイドレールの両側にはそれぞれ係合溝が設けられ、前記ガイドレールと隣接する他のガイドレールが、互いに並列配置される複数のガイドレールを備える複数の受けプレートと、
前記受けプレートに応じるように連結片と、複数の湾曲鉤と、複数の鉤片とを備える複数の係合具と、
を含むバインダーの組合せ式固定構造であって、
前記連結片は、前記複数の湾曲鉤と連結され、前記複数の湾曲鉤の片方と所定の角度を成すと共に、前記複数の鉤片は、前記複数の湾曲鉤の他方と前記所定の角度をそれぞれ成して、隣接する前記複数の湾曲鉤は、互いに所定の間隔を離間し、
前記複数の鉤片は、複数のバインダーの上に配列された複数の通し孔に通じるように穿設されることにより、前記複数の湾曲鉤のうちのいずれもそれぞれ前記複数の通し孔に挿設して、前記連結片と、前記複数の鉤片とをそれぞれ対応する係合溝に係合する場合に、前記複数のバインダーを前記複数の係合具の上に位置決めし、
また、前記複数の係合具は、第１の係合具と、第２の係合具とを含む場合に、前記第１の係合具が備える湾曲鉤の数量が、前記第２の係合具が備える湾曲鉤の数量と異なることを特徴とする、バインダーの組合せ式固定構造。
【請求項５】
前記連結片は、凸部を備え、前記係合具が前記受けプレートの上に位置決めされるように、前記凸部により前記係合溝に係入することを特徴とする、請求項４に記載のバインダーの組合せ式固定構造。
【請求項６】
前記複数のバインダーそれぞれは、表紙と、裏表紙と、複数のルーズリーフとを備え、前記複数のルーズリーフは前記表紙と前記裏表紙との間に位置し、前記複数の通し孔は、前記表紙、前記裏表紙および前記複数のルーズリーフのうちのいずれもの片側に配列され、前記複数の通し孔は、前記複数の湾曲鉤にそれぞれ対応し、かつ各前記表紙、各前記裏表紙および各前記複数のルーズリーフのうちのいずれかの寸法が異なり、かつ隣接する前記複数の湾曲鉤が互いに離間した前記所定の間隔の寸法範囲は、５ミリメータから８．９ミリメータまで、８．９ミリメータから９．８ミリメータまで、９．８ミリメータから１０００ミリメータまでのいずれかに設定されることを特徴とする、請求項４又は請求項５に記載のバインダーの組合せ式固定構造。
【請求項７】
カバー部と、前記カバー部の片面に設置される受けプレートとを含む表紙構造と、
前記受けプレートに応じるように連結片と、複数の湾曲鉤と、複数の鉤片とを備える少なくとも１つの係合具と、
を含むバインダーの組合せ式固定構造であって、
前記連結片は、前記複数の湾曲鉤と連結され、前記複数の湾曲鉤の片方と所定の角度を成すと共に、前記複数の鉤片は、前記複数の湾曲鉤の他方と前記所定の角度をそれぞれ成して、隣接する前記複数の湾曲鉤は、互いに所定の間隔を離間し、かつ前記複数の鉤片は前記連結片と同一水平面の対応する箇所に位置し、
前記少なくとも１つの係合具は、第１の係合具と、第２の係合具とを含む場合に、前記第１の係合具が備える湾曲鉤の数量が、前記第２の係合具が備える湾曲鉤の数量と異なることを特徴とする、バインダーの組合せ式固定構造。
【請求項８】
複数のルーズリーフを含み、前記複数の鉤片それぞれは、前記複数のルーズリーフに配列された複数の通し孔に通じるように穿設されることにより、前記複数の湾曲鉤のうちのいずれもそれぞれ前記複数の通し孔に挿設して、前記連結片と、前記複数の鉤片とをそれぞれ対応する前記受けプレートに係入する場合に、前記複数のルーズリーフを前記係合具の上に位置決めし、かつ前記受けプレート、前記係合具および前記複数のルーズリーフは、前記カバー部により被覆され、前記複数の通し孔は、前記複数の湾曲鉤にそれぞれ対応し、かつ隣接する前記複数の湾曲鉤が互いに離間した所定の前記間隔の寸法範囲は、５ミリメータから８．９ミリメータまで、８．９ミリメータから９．８ミリメータまで、９．８ミリメータから１０００ミリメータまでのいずれかに設定されることを特徴とする、請求項７に記載のバインダーの組合せ式固定構造。
【請求項９】
前記受けプレートの両側には、それぞれ係合溝が形成され、前記連結片は、凸部をさらに備え、前記係合具が前記受けプレートの上に位置決めされるように、前記凸部により前記係合溝に係入し、かつ前記受けプレートと前記カバー部との連結方式としては、接着、縫製、打鋲、ボルト連結のいずれかから選ばれることを特徴とする、請求項７又は請求項８に記載のバインダーの組合せ式固定構造。
【請求項１０】
前記受けプレートは帯状体であり、かつ前記受けプレートと前記カバー部とを互いに連結すると共に、前記受けプレートの両側は、それぞれ前記カバー部との間に係合スリットを形成し、前記連結片と、前記複数の鉤片とをそれぞれ対応する前記係合スリットに係合し、前記連結片は、凸部をさらに備え、前記係合具が前記受けプレートの上に位置決めされるように、前記凸部により前記係合スリットに係入し、かつ前記受けプレートと前記カバー部との連結方式としては、接着、縫製、打鋲、ボルト連結のいずれかから選ばれることを特徴とする、請求項７又は請求項８に記載のバインダーの組合せ式固定構造。
【考案の詳細な説明】
【技術分野】
【０００１】
本考案は、バインダーに関し、特に、バインダーを組み合わせる固定構造に関する。
【背景技術】
【０００２】
従来式のルーズリーフに応用できるバインダー構造の改良としては、本考案者らのうちの一人によって提案された特許文献１に記載されるように、主に１組のバインダー（即ち、複数の湾曲鉤から構成される）と１組の固定用係止め片とを組合せた構成で、ルーズリーフ頁を綴じ合せる装置として提供されている。図１を参照し、この特許文献には、バインダー本体に受けプレート７０を着脱自在に挿設してなり、該バインダー本体は、複数の湾曲鉤６０を配列して形成し、これら湾曲鉤６０の一端は、いずれも連結片６１によって一体化に連結され、該連結片６１は所定の角度折り曲げ、また、それぞれの湾曲鉤６０の他端は、いずれも自由端であって、先端を折り曲げて鉤片６２とする。該受けプレート７０は、長手方向の両端縁部に前記鉤片６２と連結片６１に対応する係合溝７１が形成され、断面が略Ｉ字状を呈する長方形のプレートであって、該係合溝７１に湾曲鉤６０の鉤片６２と、連結片６１とを着脱自在に挿設されるバインダー構造７が開示される。
【０００３】
また、ルーズリーフの表面を平らにし、正しく重ね、使用時にも書きやすいルーズリーフに適用するために、特許文献２のようなバインダー構造も開示される。特許文献２には多数の湾曲鉤８１を具えた係合具８を含み、各湾曲鉤８１は、少なくとも１つの第一折曲板８１１、第一折曲板８１１と相対する第二折曲板８１２、及び第一折曲板８１１、第二折曲板８１２を連接する円弧形板８１３から構成される。更に各円弧形板８１３は、第二折曲板８１２に近い適当な箇所に各湾曲鉤８１を連接する連接部を具える。更に二つの側面にガイドレール９４を具える受けプレート９は、受けプレート９によってガイドレール９４、第一折曲板８１１及び第二折曲板８１２により可動結合する。係合具８の各湾曲鉤８１をルーズリーフ頁に差し込み、必要な綴じ表紙をそれぞれ第一折曲板８１１、第二折曲板８１２及び受けプレート９の間に挟持設置してルーズリーフ筆記帳を構成し、係合具８を隠すことができる。
【先行技術文献】
【特許文献】
【０００４】
【特許文献１】実用新案登録第３０８６１３７号公報
【特許文献２】実用新案登録第３１３９４７４号公報
【考案の概要】
【考案が解決しようとする課題】
【０００５】
しかしながら、上述した特許文献１のバインダー構造は、実際に使用するには以下の支障があった。筆記帳の長さ仕様が様々であり、係止め片の長さは筆記帳の長さと同一でなければならないため、各種類の筆記帳の長さ仕様に応じられるように、業者側では数多くの異なる長さ寸法の係止め片を開発製造しなければならない。そのため、資源やエネルギーの消費の増加につれて製造コストも増加する。さらに、１つのバインダーにおけるルーズリーフ頁を固定するための従来の固定構造は、一体化形成した複数の湾曲鉤からなるように構成され、各種類の長さ寸法の筆記帳を調整できるように、数多くの異なる長さ寸法のバインダーを開発製造しなければならない。実際上、街で商売を経営している本屋、または一般購入者が使用に慣れているバインダーは、同一タイプ、同一寸法あるいは同一穴数であるバインダーのような規格的なバインダーのみしか受け入れられない人も少なくない。伝統的なバインダーは機械設備により自動で綴じるため、係止め片とバインダーとも材質制限を受けなければならない。また、表紙がないため、保護すべきルーズリーフが汚れてしまうことを避けることもできない。実際には、資源やエネルギーの消費を節約できるように、バインダー側には通し穴を配列して同じ長さ寸法の係止め片を装着する必要がない。
【０００６】
また、特許文献２のバインダー構造は、実際に使用するには以下の支障があった。筆記帳の長さ仕様が様々であり、係止め片の長さは筆記帳の長さと同一でなければならないため、各種類の筆記帳の長さ仕様に応じられるように、業者側では数多くの異なる長さ寸法の係止め片を開発製造しなければならない。表紙を挟持設置されているが、第一折曲板と第二折曲板とも自由端であるため、受けプレートをガイドレールを介して係合具の第一折曲板と第二折曲板とを可動結合するには、力の作用点が考慮されていないため、受けプレートを第一折曲板と第二折曲板との位置をそれぞれ対応して滑らかに係合具と結合設置することが困難となる。また、表紙は受けプレートと一体化されていないため、完全にルーズリーフを汚れから保護することができない。
【０００７】
また、従来のルーズリーフのバインダー構造の改良には、綴じ具の改良が注目されている一方、ルーズリーフを含めて保護対象になることも必要であることが無視されるため、使用者の要求を十分満足することができない問題が存在する。
【０００８】
このような状況の中で、本考案者は、上記従来技術に鑑みて、業界に長年身を置いている研究開発と鋭意検討を重ねてきた結果、上記欠点を一挙解消し得る本考案のバインダーの組合せ式固定構造の完成に至った。
【課題を解決するための手段】
【０００９】
本考案は、上記のような従来の問題点を解消することのできるバインダーの組合せ式固定構造を提案するものであって、係合具は受けプレートの上に係合することにより、ルーズリーフはページをめくることができるように係合具の上に挿設されて、位置決めされると共に、表紙があるため、内側のルーズリーフを汚れから保護することができる。
【００１０】
本考案は、上記のような従来の問題点を解消することのできるバインダーの組合せ式固定構造を提案するものであって、請求項１に記載の本考案に係るバインダーの組合せ式固定構造は、受けプレートと係合具を含む。受けプレートの両側には、それぞれ係合溝が形成される。受けプレートに応じるように、係合具は、連結片と、複数の湾曲鉤および複数の鉤片を備える。連接片は、複数の湾曲鉤と連結され、その連結片は、複数の湾曲鉤の片方と所定の角度を成すと共に、複数の鉤片は、複数の湾曲鉤の他方とその所定の角度をそれぞれ成している。隣接する複数の湾曲鉤は、互いに所定の間隔を離間している。上述複数の鉤片は、バインダーの上に配列された複数の通し孔に通じるように穿設されていることにより、複数の湾曲鉤のうちのいずれもそれぞれ複数の通し孔に挿設することができる。その後、連結片と複数の鉤片をそれぞれ対応する係合溝に係合する場合に、バインダーをその係合具の上に位置決めすることができる。また、その係合具は、第１の係合具と、第２の係合具が含まれる場合には、第１の係合具が備える湾曲鉤の数量が、第２の係合具が備える湾曲鉤の数量と異なる。
【００１１】
また、上記本考案を実施する場合、具体的には請求項２に記載のように、その連結片は、さらに凸部が備えられ、係合具が受けプレートの上に位置決めされるように、凸部により係合溝に係入することが好ましい。
【００１２】
さらに、上記本考案を実施する場合、具体的には請求項３に記載のように、バインダーは、表紙と裏表紙と複数のルーズリーフを備え、複数のルーズリーフは表紙と裏表紙との間に位置し、複数の通し孔は、表紙、裏表紙および前記複数のルーズリーフのうちのいずれもの片側に配列され、複数の通し孔は、複数の湾曲鉤にそれぞれ対応し、かつ上述バインダーが複数である場合に、各表紙、各裏表紙および各複数のルーズリーフのうちのいずれかの寸法が異なり、かつ隣接する複数の湾曲鉤が互いに離間した所定の間隔の寸法範囲は、５ミリメータから８．９ミリメータまで、８．９ミリメータから９．８ミリメータまで、９．８ミリメータから１０００ミリメータまでのいずれかに設定されることが好ましい。
【００１３】
本考案は、上記のような従来の問題点を解消することのできるバインダーの組合せ式固定構造を提案するものであって、請求項４に記載の本考案に係るバインダーの組合せ式固定構造は、受けプレートと複数の係合具を含む。その受けプレートは、複数のガイドレールを備え、各ガイドレールの両側にはそれぞれ係合溝が設けられ、ガイドレールと隣接する他のガイドレールが、互いに並列配置される。複数の係合具は、受けプレートに応じるように連結片と、複数の湾曲鉤および複数の鉤片が備えられる。その連結片は、複数の湾曲鉤と連結され、それらの湾曲鉤の片方と所定の角度を成すと共に、複数の鉤片は、それらの湾曲鉤の他方とその所定の角度をそれぞれ成して、隣接する複数の湾曲鉤は、互いに所定の間隔を離間する。複数の鉤片は、複数のバインダーの上に配列された複数の通し孔に通じるように穿設されることにより、複数の湾曲鉤のうちのいずれもそれぞれ複数の通し孔に挿設して、連結片と複数の鉤片をそれぞれ対応する係合溝に係合する場合には、複数のバインダーを前記複数の係合具の上に位置決めすることができる。また、複数の係合具は、第１の係合具と第２の係合具が含まれる場合には、第１の係合具が備える湾曲鉤の数量が、第２の係合具が備える湾曲鉤の数量と異なる。
【００１４】
また、上記本考案を実施する場合、具体的には請求項５に記載のように、その連結片は、さらに凸部が備えられ、係合具が受けプレートの上に位置決めされるように、凸部により係合溝に係入することが好ましい。
【００１５】
さらに、上記本考案を実施する場合、具体的には請求項６に記載のように、各バインダーは、表紙と裏表紙と複数のルーズリーフを備え、複数のルーズリーフは表紙と裏表紙との間に位置し、複数の通し孔は、表紙、裏表紙および前記複数のルーズリーフのうちのいずれもの片側に配列され、複数の通し孔は、複数の湾曲鉤にそれぞれ対応し、各表紙、各裏表紙および各複数のルーズリーフのうちのいずれかの寸法が異なり、かつ隣接する複数の湾曲鉤が互いに離間した所定の間隔の寸法範囲は、５ミリメータから８．９ミリメータまで、８．９ミリメータから９．８ミリメータまで、９．８ミリメータから１０００ミリメータまでのいずれかに設定されることが好ましい。
【００１６】
本考案は、上記のような従来の問題点を解消することのできるバインダーの組合せ式固定構造を提案するものであって、請求項７に記載の本考案に係るバインダーの組合せ式固定構造は、表紙構造と少なくとも１つの係合具を含む。表紙構造は、カバー部とそのカバー部の片面に設置される受けプレートとを含む。少なくとも１つの係合具には、受けプレートに応じるように連結片と、複数の湾曲鉤と、複数の鉤片が備えられる。連結片は、複数の湾曲鉤と連結され、複数の湾曲鉤の片方と所定の角度を成すと共に、前記複数の鉤片は、前記複数の湾曲鉤の他方とその所定の角度をそれぞれ成して、隣接する複数の湾曲鉤は、互いに所定の間隔を離間し、かつ複数の鉤片は連結片と同一水平面の対応する箇所に位置する。また、少なくとも１つの係合具は、第１の係合具と第２の係合具が含まれる場合には、第１の係合具が備える湾曲鉤の数量が、前記第２の係合具が備える湾曲鉤の数量と異なる。
【００１７】
また、上記本考案を実施する場合、具体的には請求項８に記載のように、複数のルーズリーフを含み、各鉤片は、複数のルーズリーフに配列された複数の通し孔に通じるように穿設されることにより、複数の湾曲鉤のうちのいずれもそれぞれが複数の通し孔に挿設して、連結片と前記複数の鉤片をそれぞれ対応する受けプレートに係入する場合には、複数のルーズリーフを係合具の上に位置決めし、かつ受けプレート、係合具および複数のルーズリーフは、カバー部により被覆され、複数の通し孔は、複数の湾曲鉤にそれぞれ対応し、かつ隣接する複数の湾曲鉤が互いに離間した所定の前記間隔の寸法範囲は、５ミリメータから８．９ミリメータまで、８．９ミリメータから９．８ミリメータまで、９．８ミリメータから１０００ミリメータまでのいずれかに設定されることが好適である。
【００１８】
さらに、上記本考案を実施する場合、具体的には請求項９に記載のように、受けプレートの両側には、それぞれ係合溝が形成され、連結片は、凸部をさらに備え、係合具が受けプレートの上に位置決めされるように、凸部により係合溝に係入し、かつ受けプレートとカバー部との連結方式としては、接着、縫製、打鋲、ボルト連結のいずれかから選ばれることが好ましい。
【００１９】
さらに、上記本考案を実施する場合、具体的には請求項１０に記載のように、受けプレートは帯状体であり、かつ受けプレートとカバー部とを互いに連結すると共に、受けプレートの両側は、それぞれカバー部との間に係合スリットを形成し、連結片と複数の鉤片をそれぞれ対応する係合スリットに係合し、連結片は、凸部をさらに備え、係合具が受けプレートの上に位置決めされるように、凸部により係合スリットに係入し、かつ受けプレートとカバー部との連結方式としては、接着、縫製、打鋲、ボルト連結のいずれかから選ばれることが好ましい。
【考案の効果】
【００２０】
上記したように、本考案のバインダーの組合せ式固定構造によれば、１つまたは複数の以下の長所を有する。
（１）本考案に係るバインダーの組合せ式固定構造によれば、使用者らや業者らが自ら受けプレートとその受けプレートに係合する複数の係合具を裁断することができるから、ＤＩＹ（Ｄｏ  Ｉｔ  Ｙｏｕｒｓｅｌｆ）方式で、異なる長さ寸法のバインダーを簡易に完成でき、適応性が高い。
【００２１】
（２）本考案に係るバインダーの組合せ式固定構造によれば、隣接する湾曲鉤が互いに離間した所定の間隔の寸法範囲は、国際標準で定まった汎用ルーズリーフやバインダーなどの孔の距離を満たしていることから、ルーズリーフ毎におよびバインダー毎に使用者の必要に応じるように装着することができる。また、受けプレートを滑らかに係合具と装着することも容易となる。
【００２２】
（３）本考案に係るバインダーの組合せ式固定構造によれば、従来の書類を孔開けおよび編綴に機器に依存して装着することなく、よって、孔の数を低減でき、重さも軽減できることから、材料開発、編綴および孔開け作業にかかる費用を有効に省くことができると共に、消耗品のコスト減を向上させる。
【００２３】
（４）本考案に係るバインダーの組合せ式固定構造によれば、表紙は受けプレートと一体化されているため、ルーズリーフ頁を適切に保護でき、ルーズリーフの汚れや破損から完全に保護するのみならず、ルーズリーフの書類の長い使用／保存寿命を保証するという可能性もある。
【図面の簡単な説明】
【００２４】
【図１】従来のバインダー構造を示す分解図。
【図２】従来のバインダー構造を示す分解図。
【図３】本考案の第１の実施例に係る組合せ式の固定構造を示す分解図。
【図４】本考案の第１の実施例に係る組合せ式の固定構造を示す組立図。
【図５】本考案の第１の実施例に係る組合せ式の固定構造をバインダーへの応用形態を示す外観図。
【図６】本考案の第１の実施例に係る組合せ式の固定構造の一部部材を示す拡大図。
【図７】本考案の第２の実施例に係る組合せ式の固定構造をバインダーへの応用形態を示す外観図。
【図８】本考案の第３の実施例に係る組合せ式の固定構造をバインダーへの応用形態を示す外観図。
【図９】本考案の第４の実施例に係る組合せ式の固定構造をバインダーへの応用形態を示す外観図。
【図１０】本考案の第５の実施例に係る組合せ式の固定構造をバインダーへの応用形態を示す外観図。
【図１１】本考案の第６の実施例に係るバインダーの組合せ式固定構造を示す分解図。
【図１２】本考案の第６の実施例に係るバインダーの組合せ式固定構造の係合溝を示す断面図。
【図１３】本考案の第６の実施例に係るバインダーの組合せ式固定構造の係合スリットを示す断面図。
【図１４】本考案の第７の実施例に係るバインダーの組合せ式固定構造を示す外観図。
【図１５】本考案の第８の実施例に係るバインダーの組合せ式固定構造を示す外観図。
【図１６】本考案の第９の実施例に係るバインダーの組合せ式固定構造を示す外観図。
【図１７】本考案の第１０の実施例に係るバインダーの組合せ式固定構造を示す外観図。
【図１８】本考案の第１０の実施例に係るバインダーの組合せ式固定構造の折り畳み形態を示す側面図。
【考案を実施するための形態】
【００２５】
本考案に係るバインダーの組合せ式固定構造は、添付の図面を参照して行う以下の説明から、より明確に理解できるであろう。
【実施例１】
【００２６】
図３〜図５は、本考案の第１の実施例に係る組合せ式の固定構造を示す分解図、本考案の第１の実施例に係る組合せ式の固定構造を示す組立図、本考案の第１の実施例に係る組合せ式の固定構造をバインダー３への応用形態を示す外観図である。図３〜図５を参照し、これらの図に示すように、バインダー３は必要に応じて、表紙３１、裏表紙３２および複数のルーズリーフ３３を含む。複数のルーズリーフ３３は表紙３１と裏表紙３２との間に位置する。複数の通し孔３４は、表紙３１、裏表紙３２および複数のルーズリーフ３３のうちのいずれもの片側に配列される。第１の実施例によれば、通し孔３４の外形は矩形であるが、この限りでない、丸形や楕円形の通し孔で本考案を実施してもよい。また、通し孔３４と隣接する通し孔３４との間の距離は、国際標準を満たしている。
【００２７】
バインダー３の組合せ式の固定構造は、受けプレート１と少なくとも１つの係合具２を含む。受けプレート１は、帯状体である長板状を呈し、その表面では、円弧面を呈し、裏面では、平面を呈してもよい。受けプレート１の両側には、それぞれ係合溝１１を設けることができ、その受けプレート１の材質としては、丸編、トリコット、帆布、朱子織物および極細繊維同士が相互に絡合した不織布のいずれかである撥水加工した布帛や和紙および洋紙である紙類などの軟性材質、ベニヤ板や合板を主体とした成形板が好ましく使用される木材類などの硬性材質、人造皮革などの皮材質、鉄、ステンレス、アルミニウム、鉄合金やアルミニウム合金などのような金属材質、軟性プラスチックと硬性とプラスチックを含むプラスチック材質のいずれかであってもよい。それで、縫製や接着などの方式で作製することができる。第１の実施例によれば、使用者または業者が自ら、ＤＩＹ方式で受けプレート１を自在に裁断することができる。係合具２には、受けプレート１に応じるように連結片２１、複数の湾曲鉤２２および複数の鉤片２３が備えられる。連結片２１は、複数の湾曲鉤２２と連結され、複数の湾曲鉤２２の片方と湾曲鉤２２の内側向きに所定の角度θを成し、その所定の角度θは９０度であってもよい。
【００２８】
図６は、本考案の第１の実施例に係る組合せ式の固定構造の一部の部材を示す拡大図である。図６に示すように、連結片２１は、凸部２１１を備えることが好ましい。係合具２が受けプレート１の上に位置決めされるように、凸部２１１により係合溝１１に係入する。また、上述係合具２は、必要に応じて第１の係合具２０１、第２の係合具２０２および第３の係合具２０３を含んでもよい。その場合には、第１の係合具２０１、第２の係合具２０２および第３の係合具２０３が備える湾曲鉤２２の数量が、それぞれ異なる。
【００２９】
複数の鉤片２３は、各湾曲鉤２２の他方と所定の角度θをそれぞれ成し、その所定の角度θは９０度であってもよい。湾曲鉤２２は、隣接する湾曲鉤２２と所定の間隔５１を離間し、その隣接する複数の湾曲鉤２２が互いに離間した所定の前記間隔５１の寸法範囲は、５ミリメータから８．９ミリメータまでに設定することができる。上述隣接する複数の湾曲鉤２２が互いに離間した所定の前記間隔５１の寸法範囲は、国際標準で定まった汎用ルーズリーフ３３やバインダー３などの孔の距離を満たしていることから、使用者が自ら孔開けを行うことができるし、街で簡単に購入できる判型の通し孔が配列されているルーズリーフ３３も適用することができ、利便性が高い。
【００３０】
複数の鉤片２３が、バインダー３の上に配列された複数の通し孔３４に通じるように穿設されることにより、複数の湾曲鉤２２のうちのいずれもそれぞれ複数の通し孔３４に対応するように挿設されている。その後、連結片２１と複数の鉤片２３をそれぞれ対応する係合溝１１に係合する場合には、バインダー３を係合具２の上に位置決めできる。そのほかに、第１の実施例によれば、受けプレート１に係入する異なる係合具２は、使用者の装着によって、２個の湾曲鉤２２、３個の湾曲鉤２２、６個の湾曲鉤２２をそれぞれ備える３個の係合具２を受けプレート１に係入して位置決めすることが好ましい。但し、２個の湾曲鉤２２、３個の湾曲鉤２２、６個の湾曲鉤２２をそれぞれ備える３個の係合具２には限定されない。同じ数量の湾曲鉤２２が備える単一あるいは複数の係合具２を受けプレート１に係入して位置決めすることもできるし、１個の係合具２、２個の係合具２、４個の係合具２あるいは５個の係合具２などのような異なる数量の係合具２を受けプレート１に係入して位置決めすることもできる。
【実施例２】
【００３１】
図７は、本考案の第２の実施例に係る組合せ式の固定構造をバインダー３への応用形態を示す外観図である。図７に示すように、本考案に係る第２の実施例の組立て構造の大部分は、第１の実施例と同じなので、図３を併せて参照し、その相違点としては、隣接する湾曲鉤２２が互いに離間した所定の間隔５２の寸法範囲は、第１の実施例と異なり、図７に示すような８．９ミリメータから９．８ミリメータまでに設定されることである。ここで、第１の実施例と相同する説明を省略する。
【００３２】
複数の鉤片２３が、バインダー３の上に配列された複数の通し孔３４に通じるように穿設されることにより、複数の湾曲鉤２２のうちのいずれもそれぞれ複数の通し孔３４に挿設する。その後、連結片２１と複数の鉤片２３をそれぞれ対応する係合溝１１に係合する場合には、バインダー３を係合具２の上に位置決めすることができる。そのほかに、第２の実施例によれば、バインダー３の数量が複数（図においては２個のバインダー３を示す）であり、各バインダー３が有する表紙３１、裏表紙３２或いは複数のルーズリーフ３３は、異なる寸法であってもよいが、この限りでない。同一寸法である各バインダー３に有する表紙３１、裏表紙３２或いは複数のルーズリーフ３３で実施してもよい。それに係合具２の湾曲鉤２２の数量は、バインダー３の寸法に合わせて、組立てに利便性を与えるように増加してもよく、減少してもよい。受けプレート１に係入する２個の係合具２は、使用者らが自ら装着する３個の湾曲鉤２２が備える２個の係合具２を受けプレート１に係入して位置決めすることが好ましい。異なる物体である表紙３１、裏表紙３２およびルーズリーフ３３は、２個の係合具２の上にそれぞれ挿設されて、位置決めすることができる。但し、３個の湾曲鉤２２が備える２個の係合具２には限定されない。異なる数量の湾曲鉤２２が備える係合具２を受けプレート１に係入して位置決めすることもできる。また、１個の係合具２、２個の係合具２、４個の係合具２あるいは５個の係合具２などのような異なる数量の係合具２を受けプレート１に係入して位置決めすることもできる。
【実施例３】
【００３３】
図８は、本考案の第３の実施例に係る組合せ式の固定構造をバインダー３への応用形態を示す外観図である。図８に示すように、本考案に係る第３の実施例の組立て構造の大部分は、第１の実施例と同じなので、図３を併せて参照し、その相違点としては、隣接する湾曲鉤２２が互いに離間した所定の間隔５３の寸法範囲は、第１の実施例と異なり、図８に示すような９．８ミリメータから１０．８ミリメータまでに設定されることである。ここで、第１の実施例と相同する説明を省略する。
【００３４】
複数の鉤片２３が、バインダー３の上に配列された複数の通し孔３４に通じるように穿設されることにより、複数の湾曲鉤２２のうちのいずれもそれぞれ複数の通し孔３４に挿設する。その後、連結片２１と複数の鉤片２３をそれぞれ対応する係合溝１１に係合する場合には、バインダー３を係合具２の上に位置決めすることができる。そのほかに、第３の実施例によれば、受けプレート１に係入する４個の係合具２は、使用者らが自ら装着する２個の湾曲鉤２２が備える４個の係合具２を受けプレート１に係入して位置決めすることが好ましい。但し、２個の湾曲鉤２２が備える４個の係合具２に限定されない。異なる数量の湾曲鉤２２が備える係合具２を受けプレート１に係入して位置決めすることもできる。また、１個の係合具２、２個の係合具２、３個の係合具２あるいは５個の係合具２などのような異なる数量の係合具２を受けプレート１に係入して位置決めすることもできる。
【実施例４】
【００３５】
図９は、本考案の第４の実施例に係る組合せ式の固定構造をバインダー３への応用形態を示す外観図である。図９に示すように、本考案に係る第４の実施例の組立て構造の大部分は、第１の実施例と同じなので、図３を併せて参照し、その相違点としては、隣接する湾曲鉤２２が互いに離間した所定の間隔５４の寸法範囲は、第１の実施例と異なり、図９に示すような１０．８ミリメータから１０００ミリメータまでに設定されることである。ここで、第１の実施例と相同する説明を省略する。
【００３６】
複数の鉤片２３が、バインダー３の上に配列された複数の通し孔３４に通じるように穿設されることにより、複数の湾曲鉤２２のうちのいずれもそれぞれ複数の通し孔３４に挿設する。その後、連結片２１と複数の鉤片２３をそれぞれ対応する係合溝１１に係合する場合には、バインダー３を係合具２の上に位置決めすることができる。そのほかに、第４の実施例によれば、受けプレート１に係入する１個の係合具２は、使用者らが自ら装着する２個の湾曲鉤２２が備える１個の係合具２を受けプレート１に係入して位置決めすることが好ましい。但し、２個の湾曲鉤２２が備える１個の係合具２に限られない。異なる数量の湾曲鉤２２が備える係合具２を受けプレート１に係入して位置決めすることもできる。また、１個の係合具２、２個の係合具２、３個の係合具２あるいは５個の係合具２などのような異なる数量の係合具２を受けプレート１に係入して位置決めすることもできる。
【実施例５】
【００３７】
図１０は、本考案の第５の実施例に係る組合せ式の固定構造をバインダー３への応用形態を示す外観図である。図１０に示すように、本考案に係る第５の実施例の組立て構造の大部は、第１の実施例と同じなので、図３を併せて参照し、その相違点としては、受けプレート１が並列配置される場合に、受けプレート１の数量と第１の実施例に示す受けプレート１の数量と形状が異なり、バインダー３の数量が複数であることである。ここで、第１の実施例と相同する説明を省略する。図１０に示すように、受けプレート１は複数のガイドレール４を備え、各ガイドレール４の両側にはそれぞれ係合溝１１が設けられ、そのガイドレール４と隣接する他のガイドレール４が、互いに並列配置される。複数の鉤片２３が、複数のバインダー３の上に配列された複数の通し孔３４に通じるように穿設されることにより、複数の湾曲鉤２２のうちのいずれもそれぞれ複数の通し孔３４に挿設する。連結片２１と複数の鉤片２３をそれぞれ対応する係合溝１１に係合する場合には、複数のバインダー３を係合具２の上に位置決めすることができる。そして、上述係合具２は第１の係合具２０１、第２の係合具２０２および第３の係合具２０３で実施することができ、それらの係合具２０１，２０２および２０３は、同じ数量の湾曲鉤２２が備えてもよいし、この限りでない、異なる数量の湾曲鉤２２が備えることもできる。
【００３８】
そのほかに、第５の実施例によれば、２個の受けプレート１に係入する６個の係合具２は、使用者らが自ら装着する６個の湾曲鉤２２が備える６個の係合具２を受けプレート１に係入して位置決めすることが好ましい。但し、６個の湾曲鉤２２が備える６個の係合具２に限られない。異なる数量の湾曲鉤２２が備える係合具２を受けプレート１に係入して位置決めすることもできる。また、１個の係合具２、２個の係合具２、３個の係合具２あるいは５個の係合具２などのような異なる数量の係合具２を受けプレート１に係入して位置決めすることもできる。
【００３９】
上述した第１の実施例〜第５の実施例においては、その隣接する複数の湾曲鉤２２が互いに離間した所定の間隔の寸法範囲は、５ミリメータから８．９ミリメータまで、８．９ミリメータから９．８ミリメータまで、９．８ミリメータから１０００ミリメータまでのいずれかに設定されることが記載される。但し、その各実施例に応用した寸法範囲に限定しない。上述した各実施例に、その隣接する複数の湾曲鉤２２が互いに離間した所定の間隔の寸法範囲は、５ミリメータから８．９ミリメータまで、８．９ミリメータから９．８ミリメータまで、９．８ミリメータから１０００ミリメータまでのいずれかに設定されることが好ましい。
【実施例６】
【００４０】
図１１は、本考案の第６の実施例に係るバインダー３の組合せ式固定構造を示す分解図であり、図１２は、本考案の第６の実施例に係るバインダー３の組合せ式固定構造の係合溝１１を示す断面図であり、図１３は、本考案の第６の実施例に係るバインダー３の組合せ式固定構造の係合スリット１２を示す断面図である。図１１〜図１３に示すように、受けプレート１、少なくとも１つの係合具２およびカバー部６を含んでもよい。受けプレート１はカバー部６の片面に設置され、帯状体である長板状を呈し、その表面では、円弧面を呈し、裏面では、平面を呈してもよい。受けプレート１の両側には、図１２に示すようにそれぞれ係合溝１１を設けることができ、また、受けプレート１が細長い一片の帯状体で実施してもよい。受けプレート１の両側には、図１３に示すようにカバー部６との間に係合スリット１２がそれぞれ形成される。その受けプレート１の材質としては、丸編、トリコット、帆布、朱子織物および極細繊維同士が相互に絡合した不織布のいずれかである撥水加工した布帛や和紙および洋紙である紙類などの軟性材質、ベニヤ板や合板を主体とした成形板が好ましく使用される木材類などの硬性材質、人造皮革などの皮材質、鉄、ステンレス、アルミニウム、鉄合金やアルミニウム合金などのような金属材質、軟性プラスチックと硬性とプラスチックを含むプラスチック材質のいずれかまたはそれらの材質からなる組合せであってもよい。それで、縫製や接着などの方式で作製することができる。そのカバー部６の材質としては、軟性材質、硬性材質、皮材質、金属材質、プラスチック材質のいずれかまたはそれらの材質からなる組合せであってもよい、かつ受けプレート１は、カバー部６と接着、縫製、打鋲や接着などの方式により、カバー部６の片面に固定することができる。第６の実施例によれば、使用者または業者が自ら、ＤＩＹ方式で受けプレート１を自在に裁断することができる。係合具２は、受けプレート１に応じるように連結片２１と、複数の湾曲鉤２２および複数の鉤片２３が備えられる。連結片２１は、複数の湾曲鉤２２と連結され、複数の湾曲鉤２２の片方と湾曲鉤２２の内側向きに所定の角度θを成し、その所定の角度θは９０度であってもよい。
【実施例７】
【００４１】
図１４は、本考案の第７の実施例に係るバインダー３の組合せ式固定構造を示す外観図である。図１４に示すように、本考案に係る第７の実施例の組立て構造の大部分は、第１の実施例と同じなので、ここでの説明を省略する。第７の実施例によれば、複数のルーズリーフ３３をさらに含み、かつ複数のルーズリーフ３３の片側には、配列された複数の通し孔３４を備える。その通し孔３４の外形は矩形であるが、この限りでない、丸形や楕円形の通し孔で本考案を実施してもよい。また、通し孔３４と隣接する通し孔３４との間の距離は、国際標準を満たしている。
【００４２】
上述した実施例において、その隣接する複数の湾曲鉤２２が互いに離間した前記所定の間隔５１の寸法範囲は、５ミリメータから８．９ミリメータまで、８．９ミリメータから９．８ミリメータまで、９．８ミリメータから１０００ミリメータまでのいずれかに設定することができる。この実施例によれば、使用者らや業者らが自らの要望に応じて受けプレート１を裁断することができるから、ＤＩＹ（Ｄｏ  Ｉｔ  Ｙｏｕｒｓｅｌｆ）方式で、異なる長さ寸法のバインダー３を簡易に完成できる目的を達する。
【実施例８】
【００４３】
図１５は、本考案の第８の実施例に係るバインダー３の組合せ式固定構造を示す外観図である。図１５に示すように、本考案に係る第８の実施例の組立て構造の大部分は、第６の実施例と同じなので、図１１を併せて参照し、その相違点としては、隣接する湾曲鉤２２が互いに離間した所定の間隔５２の寸法範囲は、第６の実施例と異なり、図１５に示すような８．９ミリメータから９．８ミリメータまでに設定されることである。ここで、第６の実施例と相同する説明を省略する。
【００４４】
複数の鉤片２３が、配列された複数の通し孔３４に通じるように穿設されることにより、複数の湾曲鉤２２のうちのいずれもそれぞれ複数の通し孔３４に挿設する。その後、連結片２１と複数の鉤片２３をそれぞれ対応する係合溝１１に係合する場合には、ルーズリーフ３３を係合具２の上に位置決めすることができる。そのほかに、第８の実施例によれば、ルーズリーフ３３の数量が複数（図においては２枚のルーズリーフ３３を示す）であり、各カバー部６と各受けプレート１は、異なる寸法であってもよいが、この限りでない。同一寸法であるルーズリーフ３３、各カバー部６あるいは各受けプレート１で実施してもよい。それに各受けプレート１が互いに係合具２の鉤片２３が、各ルーズリーフ３３の上に配列された複数の通し孔３４に通じるように穿設されることにより、複数の湾曲鉤２２のうちのいずれもそれぞれ複数の通し孔３４に挿設する。その後、連結片２１と鉤片２３をそれぞれ対応する係合溝１１に係入する場合には、ルーズリーフ３３を係合具２の上に位置決めし、かつ受けプレート１を互いに連結される。係合具２の湾曲鉤２２の数量は、ルーズリーフ３３の寸法に合わせて、組立てに利便性を与えるように増加してもよく、減少してもよい。受けプレート１に係入する２個の係合具２は、使用者らが自ら装着する３個の湾曲鉤２２が備える２個の係合具２を受けプレート１に係入して位置決めすることが好ましい。異なる物体であるルーズリーフ３３は、第２の係合具２０２の２個の湾曲鉤２２の上にそれぞれ挿設されて、位置決めすることができる。図１５に示すように、その隣接する複数の湾曲鉤２２が互いに離間した所定の間隔５２の寸法範囲は、８．９ミリメータから９．８ミリメータまでに設定されるが、但し、３個の湾曲鉤２２が備える２個の係合具２と２個の湾曲鉤２２が備える１個の係合具２との組合わせの限りでない。異なる数量の湾曲鉤２２が備える係合具２を受けプレート１に係入して位置決めすることもできる。また、１個の係合具２、２個の係合具２、３個の係合具２あるいは５個の係合具２などのような異なる数量の係合具２を受けプレート１に係入して位置決めすることもできる。
【実施例９】
【００４５】
図１６は、本考案の第９の実施例に係るバインダー３の組合せ式固定構造を示す外観図である。図１６に示すように、本考案に係る第９の実施例の組立て構造の大部分は、第６の実施例と同じなので、図１１を併せて参照し、その相違点としては、受けプレート１が並列配置される場合に、受けプレート１の数量と第６の実施例に示す受けプレート１の数量と形状が異なり、ルーズリーフ３３の数量が複数であることである。ここで、第６の実施例と相同する説明を省略する。図１６に示すように、複数の受けプレート１を並列配置されてカバー部６の片面に固定される。その受けプレート１と前記カバー部６との連結固定方式としては、接着、縫製、打鋲、ボルト連結のいずれかから選ばれることができる。複数の鉤片２３が、複数のルーズリーフ３３の上に配列された複数の通し孔３４に通じるように穿設されることにより、複数の湾曲鉤２２のうちのいずれもそれぞれ複数の通し孔３４に挿設する。連結片２１と複数の鉤片２３をそれぞれ対応する係合溝１１に係合する場合には、複数のルーズリーフ３３を複数の係合具２の上に位置決めすることができる。そして、上述係合具２は第１の係合具２０１、第２の係合具２０２および第３の係合具２０３で実施することができ、それらの係合具２０１，２０２および２０３は、同じ数量の湾曲鉤２２を備えてもよいし、この限りでない、異なる数量の湾曲鉤２２を備えることもできる。
【実施例１０】
【００４６】
図１７は、本考案の第１０の実施例に係るバインダー３の組合せ式固定構造を示す外観図である。図１７に示すように、本考案に係る第１０の実施例の組立て構造の大部分は、第６の実施例と同じなので、図１１を併せて参照し、その相違点としては、受けプレート１が並列配置される場合に、受けプレート１の数量と第６の実施例に示す受けプレート１の数量と形状が異なり、ルーズリーフ３３の数量が複数であることである。ここで、第６の実施例と相同する説明を省略する。図１７に示すように、複数の受けプレート１を並列配置されてカバー部６の片面に固定される。その受けプレート１と前記カバー部６との連結固定方式としては、接着、縫製、打鋲、ボルト連結のいずれかから選ばれることができる。複数の鉤片２３が、複数のルーズリーフ３３の上に配列された複数の通し孔３４に通じるように穿設されることにより、複数の湾曲鉤２２のうちのいずれもそれぞれ複数の通し孔３４に挿設する。連結片２１と複数の鉤片２３をそれぞれ対応する係合溝１１に係合する場合には、複数のルーズリーフ３３を複数の係合具２の上に位置決めすることができる。そして、上述係合具２は第１の係合具２０１、第２の係合具２０２および第３の係合具２０３で実施することができ、それらの係合具２０１，２０２および２０３は、同じ数量の湾曲鉤２２を備えてもよいし、この限りでない、異なる数量の湾曲鉤２２を備えることもできる。その第１０の実施例に係るバインダー３を折り畳もうとする場合は、図１８に示すように、複数のルーズリーフ３３を同じ軸線の上に位置して、複数のルーズリーフ３３はそのカバー部６により被覆される。
【００４７】
本考案は、実施の形態で説明した構成と実質的に同一の構成（例えば、機能、方法及び結果が同一の構成、あるいは目的及び効果が同一の構成）を含む。また、本考案は、実施の形態で説明した構成の本質的でない部分を置き換えた構成を含む。また、本考案は、実施の形態で説明した構成と同一の作用効果を奏する構成又は同一の目的を達成することができる構成を含む。また、本考案は、実施の形態で説明した構成に公知技術を付加した構成を含む。以上、本考案の思想、好適実施例、作用形式を説明した。しかしながら、本考案は前述の特定実施例に限定されるものではない。前述の実施例は、限定的なものではなく、説明的なものと見なさねばならない。また、以下に記載される請求の範囲によって限定される本考案の枠から逸脱することなしに、種々の変化形が当業者には可能であることを理解する必要があろう。
【符号の説明】
【００４８】
１：受けプレート
１１：係合溝
１２：係合スリット
２：係合具
２０１：第１の係合具
２０２：第２の係合具
２０３：第３の係合具
２１：連結片
２１１：凸部
２２：湾曲鉤
２３：鉤片
３：バインダー
３１：表紙
３２：裏表紙
３３；ルーズリーフ
３４：通し孔
４：ガイドレール
５１、５２、５３、５４：間隔
θ：角度
６：カバー部
６０：湾曲鉤
６１：連結片
６２：鉤片
７：バインダー構造
７０：受けプレート
７１：係合溝
８：係合具
８１：湾曲鉤
８１１：第一折曲板
８１２：第二折曲板
８１３：円弧形板
９：受けプレート
９４：ガイドレール
【図１】
0003161004.tif 000003
【図２】
0003161004.tif 000004
【図３】
0003161004.tif 000005
【図４】
0003161004.tif 000006
【図５】
0003161004.tif 000007
【図６】
0003161004.tif 000008
【図７】
0003161004.tif 000009
【図８】
0003161004.tif 000010
【図９】
0003161004.tif 000011
【図１０】
0003161004.tif 000012
【図１１】
0003161004.tif 000013
【図１２】
0003161004.tif 000014
【図１３】
0003161004.tif 000015
【図１４】
0003161004.tif 000016
【図１５】
0003161004.tif 000017
【図１６】
0003161004.tif 000018
【図１７】
0003161004.tif 000019
【図１８】
0003161004.tif 000020